(57)【特許請求の範囲】
【請求項１】
（ａ）アクリル酸のホモポリマー及びその塩、並びに、アクリル酸とマレイン酸のコポリマー及びその塩から選ばれる１種以上のポリマー〔以下（ａ）成分と呼ぶ〕を８〜４４．９質量％、
（ｂ）アルカリ金属のメタ珪酸塩及びアルカリ金属のオルソ珪酸塩から選ばれる珪酸塩〔以下（ｂ）成分と呼ぶ〕を１５〜５６．９質量％、
（ｃ）アルカリ金属の炭酸塩〔以下（ｃ）成分と呼ぶ〕を２５〜６６．９質量％、
（ｄ）クエン酸のアルカリ金属塩〔以下（ｄ）成分と呼ぶ〕を１０〜５０質量％、並びに、
（ｅ）ジクロロイソシアヌル酸及び／又はその塩〔以下（ｅ）成分と呼ぶ〕を０．１〜１０質量％
を含有し、
（ｂ）成分と（ｃ）成分の質量比（ｂ）／（ｃ）が０．５〜２．３であり、
水分の含有量が４質量％以下である、
硬質物品の自動洗浄機用粉末洗浄剤組成物。
【請求項２】
（ｂ）成分と（ｃ）成分の合計含有量が４０〜６０質量％である請求項１記載の硬質物品の自動洗浄機用粉末洗浄剤組成物。
【請求項３】
（ｂ）成分が無水物である請求項１又は２記載の硬質物品の自動洗浄機用粉末洗浄剤組成物。
【請求項４】
（ｃ）成分が無水物である請求項１〜３の何れか１項記載の硬質物品の自動洗浄機用粉末洗浄剤組成物。
【請求項５】
（ａ）成分と（ｄ）成分の合計含有量が３０〜５０質量％である請求項１〜４の何れか１項記載の硬質物品の自動洗浄機用粉末洗浄剤組成物。
【請求項６】
（ｄ）成分が無水物である請求項１〜５の何れか１項記載の硬質物品の自動洗浄機用粉末洗浄剤組成物。
【請求項７】
（ｄ）成分がクエン酸３ナトリウムである請求項１〜６の何れか１項記載の硬質物品の自動洗浄機用粉末洗浄剤組成物。
【発明の詳細な説明】
【技術分野】
【０００１】
本発明は硬質物品を洗浄するための自動洗浄機で使用される粉末洗浄剤組成物に関するものである。更に詳しくは、厨房の食器類や食品飲料加工用のプラスチックコンテナ等の硬質物品を洗浄する為に使用される自動洗浄機用の粉末洗浄剤組成物に関するものである。
【背景技術】
【０００２】
自動洗浄機は、家庭やレストラン、喫茶店などの厨房における汚れた皿、グラス、調理器具等の食器類の洗浄、食品飲料工場で使用される食材及び製品用のプラスチックコンテナの洗浄に使用されている。主な対象汚れとして、食品由来のタンパク質、デンプン、油脂等があり、これらの汚れが複合して、皿、グラス、調理器具等の食器、プラスチックコンテナに付着している。また、加熱調理の際にこれらの汚れが熱変性し、強固な汚れとなり固着している場合もある。特に、熱変性油については、洗浄困難な汚れであり、この汚れを除去する洗浄剤が求められている。
【０００３】
通常、自動洗浄機による洗浄工程は洗浄−濯ぎの順で行われているが、これら工程の所要時間は、洗浄工程が４０〜６０秒程度、すすぎ工程が５〜２０秒程度と非常に短時間である。
【０００４】
この為、自動洗浄機用粉末洗浄剤組成物には、これらの強固な汚れを短時間で効率よく洗浄する事を目的として、アルカリ金属の水酸化物、炭酸塩、珪酸塩のアルカリ剤が使用されている。特に、これらアルカリ剤の中では、洗浄性の観点から、アルカリ金属の水酸化物が好適に使用されている。しかし、アルカリ金属の水酸化物は、潮解性がある為、ハンドリング性が劣る事や、５％以上配合した場合には、劇物の扱いとなる事から、取り扱い上、使用制限がある。
【０００５】
また、洗浄にはＣａイオン、Ｍｇイオン等の硬度成分を含有した水道水、井戸水等がしばしば使用されており、これら使用水中の硬度成分と洗剤由来の炭酸根、珪酸根、及び大気中の炭酸ガスが反応し、炭酸カルシウム、炭酸マグネシウム、珪酸カルシウム、珪酸マグネシウム等の生成物を形成する。この生成物は水に不溶である為、食器類や、自動洗浄機の槽内、槽壁等に付着し、スケールと呼ばれる強固な被膜を形成する。その結果、熱交換部の熱効率低下、循環ポンプの閉塞、濃度センサーの誤作動等のトラブルを引き起こす原因となっている。特に、一般家庭用の自動食器洗浄機が１日に多くても数回の使用しか行われないのに対し、レストラン、喫茶店などの厨房で使用される業務用自動洗浄機においては、１日に数時間以上、数十回以上の連続使用が行われ、スケールの付着は大きな問題となっている。
【０００６】
スケール付着に起因するトラブル回避の為に、スケール付着の抑制効果が高いトリポリリン酸塩を配合した有リンタイプの自動洗浄機用粉末洗浄剤が使用されてきたが、トリポリリン酸塩は、水の富栄養化の原因物質であり、環境適合性の観点から、無リン或いは非常に少ないリン酸塩の配合系において、有リンタイプと同等以上のスケール付着抑制技術の開発が求められている。
【０００７】
スケール付着の抑制効果の向上を課題とする技術として、特許文献１には、アルカリ金属塩、金属イオン封鎖剤、界面活性剤、炭酸アルカリ金属塩、高分子電解質重合体を含有する所定粒度の自動食器洗浄機用洗浄剤組成物が開示されている。
【０００８】
一方、自動洗浄機用粉末洗浄剤組成物に塩素系漂白剤を配合することも知られている。特許文献２には、珪酸塩及び炭酸塩から選ばれる無機化合物、有機酸アルカリ金属塩、ポリアクリル酸又はその塩、マレイン酸の共重合体又はその塩、及び塩素系漂白成分を含有する食器洗浄機用洗浄剤組成物が開示されている。また、特許文献３には、珪酸塩及び炭酸塩から選ばれる無水物含有量が６０質量％以上の無機化合物、塩素系漂白剤、トリポリリン酸又はその塩、及びノニオン性界面活性剤を含有する食器洗浄機用洗浄剤組成物が開示されている。また、特許文献４には、特定の無機化合物、塩素系漂白剤、クエン酸又はその塩、及びノニオン性界面活性剤を所定条件で含有する食器洗浄機用洗浄剤組成物が開示されている。また、前記特許文献１でも塩素系漂白剤を配合できることが記載されている。
【先行技術文献】
【特許文献】
【０００９】
【特許文献１】特開２００８−５０４１０号公報
【特許文献２】特開２０１１−２１９５２７号公報
【特許文献３】特開２０１０−２８０７９６号公報
【特許文献４】特開２００９−１７３７０４号公報
【発明の概要】
【発明が解決しようとする課題】
【００１０】
塩素系漂白剤を配合した粉末形態の自動洗浄機用洗浄剤組成物は、洗浄剤組成物中の塩素系漂白剤の安定性に優れることが望まれる。また、アルカリ金属の水酸化物を実質的に使用せずに、高いスケール付着抑制効果と熱変性油に対する高い洗浄性を有することが望まれる。
【００１１】
特許文献１により開示された洗浄剤組成物は熱変性油に対する高い洗浄性と高いスケール付着抑制効果を両立するには不十分である。また、特許文献２により開示された洗浄剤組成物はより熱変性油に対する高い洗浄性が望まれる。特許文献３の組成物については無リン系でのスケール付着抑制効果と有効塩素安定性が望まれる。特許文献４の組成物については、より高いスケール付着抑制効果が望まれる。
【００１２】
本発明の課題は、厨房における汚れた皿、グラス、調理器具等の食器類の洗浄、食品飲料工場で使用される食材及び製品用のプラスチックコンテナの洗浄等において、アルカリ金属の水酸化物を実質的に使用せずに、無リン或いは非常に少ないリン酸塩の配合系においても、高いスケール付着抑制効果と熱変性油に対する高い洗浄性を有し、洗浄剤組成物中の塩素系漂白剤の安定性に優れた、硬質物品の自動洗浄機用粉末洗浄剤組成物を提供することにある。
【課題を解決するための手段】
【００１３】
本発明は、
（ａ）アクリル酸のホモポリマー及びその塩、並びに、アクリル酸とマレイン酸のコポリマー及びその塩から選ばれる１種以上のポリマー〔以下（ａ）成分と呼ぶ〕を８〜４４．９質量％、
（ｂ）アルカリ金属のメタ珪酸塩及びアルカリ金属のオルソ珪酸塩から選ばれる珪酸塩〔以下（ｂ）成分と呼ぶ〕を１５〜５６．９質量％、
（ｃ）アルカリ金属の炭酸塩〔以下（ｃ）成分と呼ぶ〕を２５〜６６．９質量％、
（ｄ）クエン酸のアルカリ金属塩〔以下（ｄ）成分と呼ぶ〕を１０〜５０質量％、並びに、
（ｅ）ジクロロイソシアヌル酸及び／又はその塩〔以下（ｅ）成分と呼ぶ〕を０．１〜１０質量％
を含有する硬質物品の自動洗浄機用粉末洗浄剤組成物であって、
（ｂ）成分と（ｃ）成分の質量比（ｂ）／（ｃ）が０．５〜２．３であり、
水分の含有量が５質量％以下である、
硬質物品の自動洗浄機用粉末洗浄剤組成物に関する。
【００１４】
本発明において、硬質物品の自動洗浄機用粉末洗浄剤組成物とは、自動洗浄機で食器、調理器具、プラスチックコンテナ等の硬質物品を洗浄する際に用いる粉末洗浄剤組成物という意味である。
【発明の効果】
【００１５】
本発明によれば、アルカリ金属の水酸化物を実質的に使用せずに、熱変性油に対する高い洗浄性と高いスケール付着抑制効果を有し、洗浄剤組成物中の塩素系漂白剤の安定性に優れた、硬質物品の自動洗浄機用粉末洗浄剤組成物が提供される。
【発明を実施するための形態】
【００１６】
＜（ａ）成分＞
本発明の自動洗浄機用粉末洗浄剤組成物は、洗浄性とスケール抑制の観点から、（ａ）成分として、アクリル酸のホモポリマー及びその塩、並びに、アクリル酸とマレイン酸のコポリマー及びその塩から選ばれる１種以上のポリマーを含有する。アクリル酸のホモポリマー及びその塩としては、ポリアクリル酸、ポリアクリル酸ナトリウム、ポリアクリル酸カリウム等が挙げられ、ポリアクリル酸ナトリウム、ポリアクリル酸カリウムが好ましく、アクリル酸とマレイン酸のコポリマー及びその塩としては、アクリル酸とマレイン酸のコポリマー、アクリル酸とマレイン酸のコポリマーのナトリウム塩、アクリル酸とマレイン酸のコポリマーのカリウム塩等が挙げられ、アクリル酸とマレイン酸のコポリマーのナトリウム塩、アクリル酸とマレイン酸のコポリマーのカリウム塩が好ましい。アクリル酸とマレイン酸のコポリマーのモル比は、アクリル酸のモル数／マレイン酸のモル数として、９９／１〜１／９９、更に９０／１０〜１０／９０であることが好ましい。
【００１７】
本発明の（ａ）成分は、本発明の効果の発現を妨げない程度であれば、アクリル酸及びマレイン酸以外のモノマーであって、アクリル酸及び／又はマレイン酸と共重合可能なモノマーを含んだコポリマーであってもよい。アクリル酸及びマレイン酸以外のモノマーであって、アクリル酸及び／又はマレイン酸と共重合可能なモノマーとしては、ビニル系モノマー、アクリル系モノマー、スチレン系モノマー等が挙げられ、より具体的にはメタクリル酸、アクリル酸メチル、アクリル酸エチル、メタクリル酸メチル、スチレン等が挙げられる。アクリル酸及びマレイン酸以外のモノマーであって、アクリル酸及び／又はマレイン酸と共重合可能なモノマーの（ａ）成分中のモル比は、（ａ）成分として水溶性等の物性や本発明の効果の発現に対して影響を与えなければ限定されないが、（ａ）成分中に０〜５モル％が好ましく、０〜３モル％がより好ましく、０モル％であることが最も好ましい。従って、本発明のアクリル酸のホモポリマー及びその塩、並びに、アクリル酸とマレイン酸のコポリマー及びその塩は、全構成モノマー中、アクリル酸及びマレイン酸以外のモノマーであって、アクリル酸及び／又はマレイン酸と共重合可能なモノマーを、０〜５モル％の範囲で含むポリマー又はコポリマーであってよい。
【００１８】
通常、（ａ）成分を製造する際の共重合反応には、マレイン酸は無水マレイン酸が用いられるので、上記のモル比は、何れも無水マレイン酸に基づくモル比であってよい。
【００１９】
また、（ａ）成分の重量平均分子量は、スケール付着抑制効果の観点から、１，０００〜１００，０００が好ましく、２，０００〜９０，０００がより好ましい。この重量平均分子量は、アセトニトリルと水の混合溶媒（リン酸緩衝溶液）を展開溶媒とし、ゲルパーミテーションクロマトグラフィーで分子量既知の一般に市販され入手可能なポリマー標準試薬であるポリアクリル酸（例えば、シグマアルドリッチ製分子量スタンダード試薬）を標準物質として求めたものである。
【００２０】
＜（ｂ）成分＞
本発明の自動洗浄機用粉末洗浄剤組成物は、（ｂ）成分として、アルカリ金属のメタ珪酸塩及びアルカリ金属のオルソ珪酸塩から選ばれる珪酸塩を含有する。（ｂ）成分としては、メタ珪酸ナトリウム、メタ珪酸カリウム、オルソ珪酸ナトリウム、オルソ珪酸カリウム等が挙げられ、配合安定性の観点から、オルソ珪酸ナトリウム、メタ珪酸ナトリウムが好ましい。本発明の（ｅ）成分であるジクロロイソシアヌル酸及び／又はその塩の安定性をより高める観点から（ｂ）成分は無水物が好ましい。
【００２１】
本発明の（ｂ）成分は、一般的に流通しているアルカリ金属のメタ珪酸塩、アルカリ金属のオルソ珪酸塩を用いることができるが、構成する珪酸とアルカリ金属酸化物のモル比は、（珪酸のモル数）／（アルカリ金属酸化物のモル数）として、０．３〜１．２が好ましく、より好ましくは、０．５〜１．０である。（ｂ）成分がオルソ珪酸ナトリウム、メタ珪酸ナトリウムである場合には、（ＳｉＯ2のモル数）／（Ｎａ2Ｏのモル数）のモル比は、０．３〜１．２が好ましく、より好ましくは、０．５〜１．０である。
【００２２】
＜（ｃ）成分＞
本発明の自動洗浄機用粉末洗浄剤組成物は、（ｃ）成分として、アルカリ金属の炭酸塩を含有する。（ｃ）成分としては、炭酸ナトリウム、炭酸カリウム、炭酸水素ナトリウム、炭酸水素カリウム等が挙げられ、洗浄性の観点から、炭酸ナトリウム、炭酸カリウムが好ましい。本発明では、（ｃ）成分として、炭酸ナトリウムと炭酸カリウムを併用してもよい。炭酸ナトリウムと炭酸カリウムを併用する場合、炭酸カリウムに対する炭酸ナトリウムの質量比は、特に限定されないが、（炭酸ナトリウムの質量）／（炭酸カリウムの質量）として１〜１０が好ましく、２〜５がより好ましい。本発明の（ｅ）成分であるジクロロイソシアヌル酸及び／又はその塩の安定性をより高める観点から（ｃ）成分は無水物が好ましい。
【００２３】
＜（ｄ）成分＞
本発明の自動洗浄機用粉末洗浄剤組成物は、洗浄性とスケール付着抑制効果の観点から、（ｄ）成分として、クエン酸のアルカリ金属塩を含有する。クエン酸のアルカリ金属塩としては、クエン酸３ナトリウム、クエン酸３カリウム等が挙げられ、クエン酸３ナトリウムが好ましい。本発明の（ｅ）成分であるジクロロイソシアヌル酸及び／又はその塩の安定性をより高める観点から（ｄ）成分は無水物が好ましい。
【００２４】
＜（ｅ）成分＞
（ｅ）ジクロロイソシアヌル酸及び／又はその塩〔以下（ｅ）成分と呼ぶ〕を含有する。ジクロロイソシアヌル酸の塩としては、ナトリウム塩が挙げられる。
【００２５】
＜自動洗浄機用粉末洗浄剤組成物＞
本発明の自動洗浄機用粉末洗浄剤組成物は、上記（ａ）〜（ｅ）成分を含有するものであり、更にその他の成分を含有することができる。
【００２６】
本発明の自動洗浄機用粉末洗浄剤組成物中の（ａ）成分の含有量は、スケール付着抑制効果、コストの観点から、８〜４４．９質量％である。洗浄性、スケール付着抑制効果の観点から、１０質量％以上が好ましい。また、コストの観点から、４０質量％以下が好ましく、３０質量％以下がより好ましい。
【００２７】
また、本発明の自動洗浄機用粉末洗浄剤組成物中の（ｂ）成分の含有量は、１５〜５６．９質量％である。下限は、洗浄性の観点から、１５質量％以上であり、１７質量％以上が好ましく、１９質量％以上がより好ましい。上限は、スケール付着抑制効果の観点から、５６．９質量％以下であり、５０質量％以下が好ましく、４０質量％以下がより好ましい。
【００２８】
また、本発明の自動洗浄機用粉末洗浄剤組成物中の（ｃ）成分の含有量は、洗浄性の観点から、２５〜６６．９質量％である。上限は、スケール付着抑制効果の観点から、５０質量％以下が好ましく、４０質量％以下がより好ましい。
【００２９】
また、本発明の自動洗浄機用粉末洗浄剤組成物中の（ｄ）成分の含有量は、スケール付着抑制効果の観点から、１０〜５０質量％である。スケール付着抑制効果の観点から、２０〜４０質量％が好ましく、２０〜３０質量％がより好ましい。
【００３０】
また、本発明の自動洗浄機用粉末洗浄剤組成物中の（ｅ）成分の含有量は、０．１〜１０質量％である。漂白効果の観点から、０．５〜１０質量％が好ましく、１〜５質量％がより好ましい。
【００３１】
また、本発明の自動洗浄機用粉末洗浄剤組成物中の水分の含有量は、５質量％以下である。（ｅ）成分の安定性の観点から、４質量％以下が好ましく、３質量％以下がより好ましく、２質量％以下がさらに好ましく、１質量％以下が一層好ましい。この水分量は、組成物中の水の量であり、遊離水（自由水）、溶解水、結合水、水和水などの態様で組成物中に存在する水の総量である。これらの態様で組成物中に存在する水の量を測定できる方法であれば何れの方法で水分量を測定してもよく、例えば、カールフィッシャー法（ＪＩＳ  Ｋ  ００６８）により測定することができる。また、配合原料から水分量が計算できる場合はその値を採用してもよい。なお、（ｂ）成分や（ｄ）成分など、水和水を含む化合物（水和物）については、その水和水を含めた量をそれら化合物の量とする。
【００３２】
また、本発明の自動洗浄機用粉末洗浄剤組成物は、（ｂ）成分の含有量と（ｃ）成分の含有量との質量比（ｂ）／（ｃ）は０．５〜２．３である。洗浄性の観点から、０．５〜２であることが好ましく、０．６〜１．５であることが更に好まし、０．６５〜１であることがより好ましい。
【００３３】
また、本発明の自動洗浄機用粉末洗浄剤組成物における、（ｂ）成分と（ｃ）成分の合計含有量は、洗浄性の観点から、４０〜６０質量％が好ましく、４５〜５５質量％が更に好ましい。
【００３４】
また、本発明の自動洗浄機用粉末洗浄剤組成物における、（ａ）成分の含有量と、（ｂ）成分及び（ｃ）成分の合計含有量との質量比〔（ｂ）＋（ｃ）〕／（ａ）は、洗浄性とスケール抑制の観点から、３〜１０が好ましく、５〜８が更に好ましい。
【００３５】
また、本発明の自動洗浄機用粉末洗浄剤組成物における、（ａ）成分と（ｄ）成分の合計含有量は、スケール付着抑制効果の観点から、３０〜５０質量％が好ましく、３５〜４５質量％がより好ましく、３５〜４０質量％が更に好ましい。
【００３６】
本発明の自動洗浄機用粉末洗浄剤組成物には、（ａ）〜（ｅ）成分以外に、必要に応じて、芒硝、界面活性剤、酵素、消泡剤、防腐剤、防錆剤、殺菌剤、抗菌剤、色素、香料、ハイドロトロープ剤等を配合する事ができる。
【００３７】
また、本発明の自動洗浄機用粉末洗浄剤組成物は、（ｄ）成分以外の有機キレート剤〔以下（ｄ’）成分と呼ぶ〕を含有することもできる。（ｄ’）成分としては、（ｄ’１）メチルグリシン二酢酸三ナトリウム、Ｌ−グルタミン酸二酢酸四ナトリウム等のアミノカルボン酸塩、（ｄ２）リンゴ酸二ナトリウム、酒石酸ナトリウム等のヒドロキシカルボン酸塩等が挙げられ、メチルグリシン二酢酸三ナトリウム、及びＬ−グルタミン酸二酢酸四ナトリウムからなる群から選ばれる１種以上が好ましい。（ｄ’）成分を含有する場合、組成物中の含有量は、スケール付着抑制効果の観点から、１０〜５０質量％が好ましく、２０〜４０質量％が好ましく、２０〜３０質量％がより好ましい。
【００３８】
本発明の自動洗浄機用粉末洗浄剤組成物に配合される界面活性剤は、目的に応じて、ノニオン界面活性剤、アニオン界面活性剤、カチオン界面活性剤、両性界面活性剤を使用することができるが、洗浄性の観点からは、ノニオン界面活性剤が好ましい。
【００３９】
本発明に使用できるノニオン界面活性剤は特に限定されるわけではないが、例えば、ポリオキシエチレンアルキルエーテル、ポリオキシエチレンポリオキシプロピレンアルキルエーテル、ポリオキシアルキレンジアルキルエーテル、ポリオキシエチレンアルケニルエーテル、ポリオキシアルキレンアルキルフェニルエーテル、プルロニック型ブロックポリマー、テトロニック型ブロックポリマー、リバースプルロニック型ブロックポリマー、リバーステトロニック型ブロックポリマー、蔗糖脂肪酸エステル、ソルビタン脂肪酸エステル、ポリエチレングリコール脂肪酸エステル、グリセリン脂肪酸エステル、ポリグリセリン脂肪酸エステル、プロピレングリコール脂肪酸エステル、ポリプロピレングリコール脂肪酸エステル、ヤシ脂肪酸ジエタノールアミド、ラウリン酸ジエタノールアミド、ラウリン酸ミスチリン酸ジエタノールアミド、ミスチリン酸ジエタノールアミド、オレイン酸ジエタノールアミド、パーム核脂肪酸ジエタノールアミド、アルキルグルコシド類、アミンオキサイド類、等があげられ、特に、洗浄性の観点から、ポリオキシエチレンポリオキシプロピレンアルキルエーテル、プルロニック型ブロックポリマー、テトロニック型ブロックポリマー、リバースプルロニック型ブロックポリマー、リバーステトロニック型ブロックポリマーが好ましい。これらノニオン界面活性剤は単独で用いても二種以上を組み合わせて用いてもよい。
【００４０】
ノニオン界面活性剤の含有量は、０．１〜１０質量％が好ましく、洗浄性と他の成分とのバランスや経済性の点から、０．５〜５質量％がより好ましい
【００４１】
本発明の自動洗浄機用粉末洗浄剤組成物は、硬質物品用自動洗浄機に用いられる。ここで、硬質物品とは、硬質表面を有する部材を主体として含む物品であり、自動洗浄機による洗浄に適した大きさ、形状、材質を有する物品を含む。また、部分的に軟質部材が含まれていてもよい。具体的な硬質物品としては、食器、調理器具、プラスチックコンテナ等が挙げられる。また、自動洗浄機は、これらの硬質物品の自動的な洗浄に適した装置を適宜使用できる。また、自動洗浄機は、これらの硬質物品の自動的な洗浄に適した装置を適宜使用できる。
【００４２】
また、本発明の自動洗浄機用粉末洗浄剤組成物は、リンを含む化合物を含有しない、いわゆる無リンタイプの組成物とすることができる。
【００４３】
本発明の自動洗浄機用粉末洗浄剤組成物は、０．１質量％水溶液の２５℃でのｐＨ（ＪＩＳ  Ｋ  ３３６２）が１０〜１３、更に１１〜１２であることが、洗浄性、基材損傷性の観点から好ましい。
【実施例】
【００４４】
表１に示した配合組成の自動洗浄機用粉末洗浄剤組成物を調製し、以下の方法でスケール付着抑制能、洗浄性、有効塩素残存率を評価した。結果を表１に示す。なお、表１には組成物の０．１質量％水溶液の２５℃でのｐＨをＪＩＳ  Ｋ  ３３６２により測定し併記した。
【００４５】
〔１〕スケール抑制能の評価
＜試験条件＞
使用洗浄機：日本洗浄機（株）製  自動食器洗浄機（ＳＡＮＩＪＥＴ  ＳＤ１１３ＥＡ６）
洗浄温度：６５℃
洗浄時間：４０秒
すすぎ温度：８５℃
すすぎ時間：１０秒
洗浄濃度：０．１０質量％
使用水：６°ｄＨ硬水（塩化カルシウムにて調整）
【００４６】
＜評価方法＞
ＳＵＳ３０４のテストピース（１００ｍｍ×１３０ｍｍ）１０枚を洗浄ラックに設置し、上記試験条件にて、洗浄→すすぎ→室温での風乾の操作を１０００回繰り返した後、テストピースの外観を下記の評価基準にて目視判定した。表１には、１０枚の平均値を示した。
【００４７】
＜評価基準＞
６：試験前と比較して差が無く光沢がある
５：わずかに変色しているがスケールは付着せず、光沢がある
４：変色しているがスケールは付着せず、光沢がある
３：一部にスケールが付着するが、光沢がある
２：全体がスケールで覆われ、光沢がない
１：全体がスケールで覆われ、光沢がなく表面がざらついている
尚、本発明のスケール抑制能評価としては、光沢があると判断される４点以上であれば好ましい。
【００４８】
〔２〕洗浄性の評価
＜熱変性油の調製＞
１Ｌの四つ口フラスコに菜種油５００ｇを入れ、２Ｌ／ｍｉｎの流量にて空気を吹き込みながら１８０℃で１５時間攪拌混合し、２５℃にて２４時間冷却し熱変性油を得た。この熱変性油にスダンIVを０．１％入れ、赤色に着色した。
【００４９】
＜モデル汚垢の作製＞
新品の直径２０ｃｍポリプロピレン製皿の中央部に、上記の着色した熱変性油５ｇを刷毛で直径約１０ｃｍの円形に均一塗布し、モデル汚垢として洗浄性評価に用いた。
【００５０】
＜評価方法＞
日本洗浄機（株）製  自動食器洗浄機（ＳＡＮＩＪＥＴ  ＳＤ１１３ＥＡ６）の洗浄槽（６２Ｌ）に表１の自動洗浄機用粉末洗浄剤組成物６２ｇを投入して、６５℃の温水で溶解させた。専用ラックにモデル汚垢を塗布したポリプロピレン製皿４枚をセットして、６５℃の洗浄液にて４５秒間洗浄した後、８５℃の濯ぎ水にて１０秒間濯いだ。専用ラックからポリプロピレン製皿を取り出し、以下に示した判定基準にて洗浄性を１０人の研究員により目視判定を行い、その点数を平均して評価点とした。
【００５１】
＜洗浄性の判定基準＞
７；４枚のポリプロピレン製皿の何れにも着色痕は全く認められず、汚れが除去されている
６；４枚のポリプロピレン製皿の１枚に僅かな着色痕を認める程度で、殆どの汚れが除去されている
５；４枚のポリプロピレン製皿の２枚に僅かな着色痕を認める程度で、殆どの汚れが除去されている
４；４枚のポリプロピレン製皿の３枚に僅かな着色痕を認める程度で、殆どの汚れが除去されている
３；４枚のポリプロピレン製皿全てに僅かな着色痕を認める程度で、殆どの汚れが除去されている
２；４枚のポリプロピレン製皿全てに着色痕を認め、半分程度の汚れが残留している
１；４枚のポリプロピレン製皿全てに着色痕を認め、殆どの汚れが残留している
尚、本発明の洗浄性評価としては、汚れが除去されたと判断される５点以上であれば好ましい。
【００５２】
〔３〕有効塩素残存率の評価
洗浄剤組成物を、袋状容器（材質：ナイロン／ＰＥＴ  ラミネートフィルム）、形状（平袋、容量約３Ｌ）に２ｋｇ充填し、密封した状態で、４０℃、相対湿度８０％で３０日間保存した後の有効塩素濃度を測定し、初期の有効塩素濃度から、保存後の有効塩素残存率を求めた。この評価は、パウチ詰め製品のような形態での保存を想定した保存安定性の評価である。
有効塩素残存率（％）＝（保存後の有効塩素濃度／初期の有効塩素濃度）×１００
尚、有効塩素残存率は６０％以上であることが好ましく、７０％以上であることがより好ましい。
【００５３】
【表１】
0005890193.tif 000002
【００５４】
・ポリアクリル酸ナトリウム：重量平均分子量４，０００、ソカランＰＡ２５ＣＬ  Ｇｒａｎｕｌｅｓ（ＢＡＳＦジャパン（株）製、有効分９２質量％、水分量８質量％）〔原料情報はＢＡＳＦジャパン（株）製品カタログによる。表中の質量％は製品有姿での配合量に基づくものである。〕
・アクリル酸−マレイン酸共重合体：ナトリウム塩［アクリル酸／マレイン酸（モル比）＝７０／３０、重量平均分子量＝７０，０００、有効分９２質量％、水分量８質量％］
・ノニオン界面活性剤：プロピレンオキシド・エチレンオキシド・プロピレンオキシド・ブロックポリマー〔重量平均分子量３，１００、プロピレンオキシド／エチレンオキシド比＝８０／２０、プルロニックＲＰＥ２５２０（ＢＡＳＦジャパン（株）製）：原料情報はＢＡＳＦジャパン（株）製品カタログによる。表中の質量％は製品有姿での配合量に基づくものである。〕
・メタ珪酸ナトリウム・無水塩：ＳｉＯ2／Ｎａ2Ｏモル比１．０
・メタ珪酸ナトリウム・５水塩：ＳｉＯ2／Ｎａ2Ｏモル比１．０
・メタ珪酸ナトリウム・９水塩：ＳｉＯ2／Ｎａ2Ｏモル比１．０